【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段とを備え、
前記制御手段は、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御することを特徴とする受信装置。
【請求項２】
前記第１の放送番組のコンテンツデータは、前記第１の放送番組の放送信号よりも遅く終了し、
前記制御手段は、前記第２の放送番組のコンテンツデータが前記第２の受信手段により受信できない場合、前記第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする請求項１に記載の受信装置。
【請求項３】
前記第１の放送番組のコンテンツデータは、前記第１の放送番組の放送信号よりも早く終了し、
前記制御手段は、前記第２の放送番組のコンテンツデータが前記第２の受信手段により受信できない場合、他のコンテンツデータを受信するように前記第２の受信手段を制御すると共に、前記第１の放送番組のコンテンツデータが終了してから、前記第２の放送番組の放送信号の開始まで、前記他のコンテンツデータを出力するように、前記出力手段を制
御することを特徴とする請求項１に記載の受信装置。
【請求項４】
前記制御手段は、前記第２の放送番組の放送信号の放送開始時間となった場合に、前記第２の放送番組の放送信号を受信するように前記第１の受信手段を制御すると共に、前記他のコンテンツデータから前記第２の放送番組の放送信号に切り替え、前記第２の放送番組の放送信号を出力するように、前記出力手段を制御することを特徴とする請求項３に記載の受信装置。
【請求項５】
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段とを備え、
前記制御手段は、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置。
【請求項６】
前記第１の放送番組のコンテンツデータは、前記第１の放送番組の放送信号よりも遅く終了し、
前記制御手段は、前記出力手段が前記第１の放送番組のコンテンツデータから前記第２の放送番組の放送信号に切り替えたことにより出力が停止された、前記第１の放送番組のコンテンツデータにおける停止位置に関する情報を記憶手段に記憶することを特徴とする請求項５に記載の受信装置。
【請求項７】
前記第１の放送番組のコンテンツデータから前記第２の放送番組の放送信号への切り替えをユーザに問い合わせる手段を備え、
ユーザが前記第１の放送番組のコンテンツデータから前記第２の放送番組の放送信号への切り替えを指示しない場合、前記制御手段は、前記第２の放送番組の放送信号の放送開始時間となった後も、前記第１の放送番組のコンテンツデータを出力するように、前記出力手段を制御することを特徴とする請求項５に記載の受信装置。
【請求項８】
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段と、
前記第１の放送番組の放送信号の終了時間と、前記第１の放送番組のコンテンツデータの終了時間とを検出する検出手段とを備え、
前記制御手段は、前記検出手段の検出結果に基づき、前記第１の放送番組のコンテンツ
データの終了時間が前記第１の放送番組の放送信号の終了時間よりも早い場合、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御し、
前記第１の放送番組のコンテンツデータの終了時間が前記第１の放送番組の放送信号の終了時間よりも遅い場合、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置。
【請求項９】
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御することを特徴とする受信装置の制御方法。
【請求項１０】
前記第１の放送番組のコンテンツデータは、前記第１の放送番組の放送信号よりも遅く終了し、
前記第２の放送番組のコンテンツデータが前記第２の受信手段により受信できない場合、前記第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする請求項９に記載の受信装置の制御方法。
【請求項１１】
前記第１の放送番組のコンテンツデータは、前記第１の放送番組の放送信号よりも早く終了し、
前記第２の放送番組のコンテンツデータが前記第２の受信手段により受信できない場合、他のコンテンツデータを受信するように前記第２の受信手段を制御すると共に、前記第１の放送番組のコンテンツデータが終了してから、前記第２の放送番組の放送信号の開始まで、前記他のコンテンツデータを出力するように、前記出力手段を制御することを特徴とする請求項９に記載の受信装置の制御方法。
【請求項１２】
前記第２の放送番組の放送信号の放送開始時間となった場合に、前記第２の放送番組の放送信号を受信するように前記第１の受信手段を制御すると共に、前記他のコンテンツデータから前記第２の放送番組の放送信号に切り替え、前記第２の放送番組の放送信号を出力するように、前記出力手段を制御することを特徴とする請求項１１に記載の受信装置の制御方法。
【請求項１３】
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置の制御方法。
【請求項１４】
前記第１の放送番組のコンテンツデータは、前記第１の放送番組の放送信号よりも遅く終了し、
前記出力手段が前記第１の放送番組のコンテンツデータから前記第２の放送番組の放送信号に切り替えたことにより出力が停止された、前記第１の放送番組のコンテンツデータにおける停止位置に関する情報を記憶手段に記憶することを特徴とする請求項１３に記載の受信装置の制御方法。
【請求項１５】
前記第１の放送番組のコンテンツデータから前記第２の放送番組の放送信号への切り替えをユーザに問い合わせ、
ユーザが前記第１の放送番組のコンテンツデータから前記第２の放送番組の放送信号への切り替えを指示しない場合、前記第２の放送番組の放送信号の放送開始時間となった後も、前記第１の放送番組のコンテンツデータを出力するように、前記出力手段を制御することを特徴とする請求項１３に記載の受信装置の制御方法。
【請求項１６】
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組の放送信号の終了時間と、前記第１の放送番組のコンテンツデータの終了時間とを検出し、
前記第１の放送番組のコンテンツデータの終了時間が前記第１の放送番組の放送信号の終了時間よりも早い場合、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御し、
前記第１の放送番組のコンテンツデータの終了時間が前記第１の放送番組の放送信号の終了時間よりも遅い場合、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置の制御方法。
【手続補正２】
【補正対象書類名】明細書
【補正対象項目名】０００９
【補正方法】変更
【補正の内容】
【０００９】
本発明の第１態様は、
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段とを備え、
前記制御手段は、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御する
ことを特徴とする受信装置である。
【手続補正３】
【補正対象書類名】明細書
【補正対象項目名】００１０
【補正方法】変更
【補正の内容】
【００１０】
本発明の第２態様は、
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段とを備え、
前記制御手段は、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御する
ことを特徴とする受信装置である。
【手続補正４】
【補正対象書類名】明細書
【補正対象項目名】００１１
【補正方法】変更
【補正の内容】
【００１１】
本発明の第３態様は、
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段と、
前記第１の放送番組の放送信号の終了時間と、前記第１の放送番組のコンテンツデータの終了時間とを検出する検出手段とを備え、
前記制御手段は、前記検出手段の検出結果に基づき、前記第１の放送番組のコンテンツデータの終了時間が前記第１の放送番組の放送信号の終了時間よりも早い場合、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御し、
前記第１の放送番組のコンテンツデータの終了時間が前記第１の放送番組の放送信号の終了時間よりも遅い場合、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御する
ことを特徴とする受信装置である。
【手続補正５】
【補正対象書類名】明細書
【補正対象項目名】００１２
【補正方法】変更
【補正の内容】
【００１２】
本発明の第４態様は、
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテ
ンツデータを出力するように、前記出力手段を制御する
ことを特徴とする受信装置の制御方法である。
本発明の第５態様は、
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御する
ことを特徴とする受信装置の制御方法である。
本発明の第６態様は、
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組の放送信号の終了時間と、前記第１の放送番組のコンテンツデータの終了時間とを検出し、
前記第１の放送番組のコンテンツデータの終了時間が前記第１の放送番組の放送信号の終了時間よりも早い場合、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御し、
前記第１の放送番組のコンテンツデータの終了時間が前記第１の放送番組の放送信号の終了時間よりも遅い場合、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置の制御方法である。